(57)【要約】【課題】元の文書を縮小させることなく、別ページとしてメモ用紙を挿入可能な印刷制御装置及びプリンタドライバプログラムを提供する。【解決手段】印刷対象として指定された文書に対して、ユーザの指示に基づいて、該文書に付随する付随文書を印刷条件として設定可能な印刷条件設定手段を備えた印刷制御装置であって、前記印刷条件設定手段は、前記付随文書を等倍率に印刷するように設定し、かつ前記付随文書を前記文書とは別ページとして挿入するように設定することを特徴とする印刷制御装置。【選択図】図３
2012208853.tif 000002
【特許請求の範囲】
【請求項１】
印刷対象として指定された文書に対して、ユーザの指示に基づいて、該文書に付随する付随文書を印刷条件として設定可能な印刷条件設定手段を備えた印刷制御装置であって、
前記印刷条件設定手段は、前記付随文書を等倍率に印刷するように設定し、かつ前記付随文書を前記文書とは別ページとして挿入するように設定すること
を特徴とする印刷制御装置。
【請求項２】
前記印刷条件設定手段は、製本印刷を行う場合に、前記文書及び前記付随文書が見開き状態になるように設定すること
を特徴とする請求項１に記載の印刷制御装置。
【請求項３】
前記印刷条件設定手段は、ページ数を付加する場合に、前記付随文書を含めてページ数設定可否を選択可能であること
を特徴とする請求項１又は２に記載の印刷制御装置。
【請求項４】
前記印刷条件設定手段は、前記付随文書をユーザが指定した任意のデータを利用可能に設定すること
を特徴とする請求項１乃至３のいずれか一項に記載の印刷制御装置。
【請求項５】
印刷対象として指定された文書に対して、ユーザの指示に基づいて、該文書に付随する付随文書を印刷条件として設定可能に構成されたプリンタドライバプログラムであって、
前記文書を等倍率に印刷するように設定し、かつ前記付随文書を前記文書とは別ページとして挿入するように設定すること
を特徴とするプリンタドライバプログラム。
【発明の詳細な説明】
【技術分野】
【０００１】
本発明は、プレゼンテーション用資料や製本印刷される資料などの所望の文書に対して、この文書に付随した文書としてメモ用紙を挿入し、印刷を可能にする印刷制御装置及びプリンタドライバプログラムに関するものである。
【背景技術】
【０００２】
従来技術では、研修会などで講演者側から聴講者側に配布されるプレゼンテーション用資料や製本印刷される資料などには、元の文書及びメモ領域が同ページの中に表示される文書がある。
【０００３】
図８に示すように、元の文書データを一定倍率で縮小させ、この縮小させた文書に対して、当該ページ中に余白となった部分に対して、付随文書データとしてメモ領域を設けている。聴講者側は、このプレゼンテーション用資料等において、必要に応じて、メモ領域を活用し、研修に臨んでいる。
【先行技術文献】
【特許文献】
【０００４】
【特許文献１】特開２００７−２５９２３号公報
【発明の概要】
【発明が解決しようとする課題】
【０００５】
しかしながら、従来技術では、図８に示すように、元の文書を一定程度、強制的に縮小させ、余白ができた領域にメモ領域を挿入している。そのため、元の文書及びメモ領域の表示では、元の文書の印刷物の縮尺を変更してしまうことになる。
【０００６】
すなわち、講演者側としては、上記のようにメモ領域が挿入されることによって、優先度が高い情報であるプレゼンテーション資料等の元の文書データを、無為に縮小させてしまうことになる。したがって、聴講者側に対して、優先度が高い必要な情報を十分に伝達できない虞がある。
【０００７】
さらに、聴講者側としては、メモ領域がページ内の縮小した領域に止まることによって、メモとして十分な領域を確保できず、メモ領域としては不足する虞があった。
【０００８】
本発明は、上記事情に鑑み、元の文書を縮小させることなく、別ページとしてメモ用紙を挿入可能な印刷制御装置及びプリンタドライバプログラムを提供することを目的とする。
【課題を解決するための手段】
【０００９】
（１）
印刷対象として指定された文書に対して、ユーザの指示に基づいて、該文書に付随する付随文書を印刷条件として設定可能な印刷条件設定手段を備えた印刷制御装置であって、
前記印刷条件設定手段は、前記付随文書を等倍率に印刷するように設定し、かつ前記付随文書を前記文書とは別ページとして挿入するように設定すること
を特徴とする印刷制御装置。
【００１０】
（２）
前記印刷条件設定手段は、製本印刷を行う場合に、前記文書及び前記付随文書が見開き状態になるように設定すること
を特徴とする（１）に記載の印刷制御装置。
【００１１】
（３）
前記印刷条件設定手段は、ページ数を付加する場合に、前記付随文書を含めてページ数設定可否を選択可能であること
を特徴とする（１）又は（２）に記載の印刷制御装置。
【００１２】
（４）
前記印刷条件設定手段は、前記付随文書をユーザが指定した任意のデータを利用可能に設定すること
を特徴とする（１）乃至（３）のいずれか一項に記載の印刷制御装置。
【００１３】
（５）
印刷対象として指定された文書に対して、ユーザの指示に基づいて、該文書に付随する付随文書を印刷条件として設定可能に構成されたプリンタドライバプログラムであって、
前記文書を等倍率に印刷するように設定し、かつ前記付随文書を前記文書とは別ページとして挿入するように設定すること
を特徴とするプリンタドライバプログラム。
【００１４】
なお、上記（５）については、印刷対象として指定された文書に対して、ユーザの指示に基づいて、該文書に付随する付随文書を印刷条件として設定可能な印刷条件設定手段を備える印刷制御装置として情報処理装置を機能させるように構成されたプリンタドライバプログラムであって、前記印刷条件設定手段は、前記文書を等倍率に印刷するように設定し、かつ前記付随文書を前記文書とは別ページとして挿入するように設定すること
を特徴とするプリンタドライバプログラム、でもよい。
【発明の効果】
【００１５】
本発明の第一の特徴によれば、元の文書を縮小させずに等倍率で印刷し、メモ用紙を別ページで印刷するため、オリジナルの情報量を損なわずに印刷することができる印刷制御装置を提供することができる。
【００１６】
本発明の第二の特徴によれば、製本印刷を行う場合には、見開いた状態で隣接するページにメモ用紙を挿入することができるため、製本印刷された文書を使用する聴講者側の使い勝手を向上させることができる。
【００１７】
本発明の第三の特徴によれば、ページ数設定可否を選択できることにより、文書のみのページにするかメモも含めたページ数にするか設定できることで、講演者側及び聴講者側のページの特定に関して、使い勝手をより向上させることができる。
【００１８】
本発明の第四の特徴によれば、付随文書であるメモページをユーザが指定した任意のデータを利用可能としたので、講演者側が文書を提供する際、文書に応じたメモの形態を提供することができる。
【００１９】
本発明の第五の特徴によれば、元の文書を縮小させずに等倍率で印刷し、メモ用紙を別ページで印刷するため、オリジナルの情報量を損なわずに印刷することができるプリンタドライバプログラムを提供することができる。
【図面の簡単な説明】
【００２０】
【図１】本実施形態における印刷システムの機能構成の一例を示すブロック図である。
【図２】本実施形態における印刷装置の機能構成を示すブロック図である。
【図３】本実施形態において、PC（情報処理装置）のプリンタドライバ上で印刷設定を行う場合の印刷条件設定画面の一例を示す図である。
【図４】本実施形態における元の文書、及び元の文書にメモページが挿入された状態を示す図である。
【図５】本実施形態におけるメモページの任意データの例を示す図である。
【図６】本実施形態における製本印刷をする場合の見開き状態でメモページを挿入する場合を示す図である。
【図７】本実施形態におけるページ数印刷の形態を示す図である。
【図８】従来技術を示す図である。
【発明を実施するための形態】
【００２１】
本発明の実施の形態について、図面を参照して説明する。図１は、本実施形態における印刷システムの機能構成の一例を示すブロック図である。本図に示すように、印刷システムは、印刷装置１０と、情報処理装置として機能するパーソナルコンピュータ（ＰＣ）２０とを備えて構成される。印刷装置１０とＰＣ２０との接続形態は、代表的には、複数台のＰＣ２０が印刷装置１０を共用するＬＡＮ（Local Area Network）接続とすることができる。
【００２２】
印刷装置１０は、図示しない給紙装置と排紙台とを備えている。また、印刷装置１０は、ＰＣ２０から送られた印刷データに基づく印刷を行なうプリンタ機能を備えている。
【００２３】
ＰＣ２０は、印刷装置１０に対応して開発されたプリンタドライバプログラムがインストールされており、このプログラムをＰＣ２０のＣＰＵが実行することにより、プリンタドライバ部２１０が形成される。このプリンタドライバ部２１０が動作することにより、ＰＣ２０は印刷制御装置として機能する。
【００２４】
プリンタドライバ部２１０は、ユーザからの指示に基づいて、印刷対象となる文書等の印刷データを生成し、印刷装置１０に出力する処理を行う。この処理を行うため、プリンタドライバ部２１０は、印刷条件設定部２１１と印刷データ生成部２１２とを備えている。印刷条件設定部２１１は、印刷対象として指定された元の文書に対して、ユーザの指示に基づいて、この文書に付随する付随文書であるメモページを印刷条件として設定する。印刷データ生成部２１２は、印刷対象として指定された文書と、印刷条件設定部２１１で受け付けた印刷条件のメモページを印刷データとして生成し、印刷装置１０に出力する。
【００２５】
図２は、本実施形態における印刷装置１０の機能構成を示すブロック図である。図２に示すように、印刷装置１０は、制御部１１０、通信処理部１２０、画像読取部１３０、操作パネル部１５０、印刷実行部３１０、給紙部３２０、排紙部３３０、後処理部３５０を備えている。
【００２６】
通信処理部１２０は、ＰＣ２０との通信を行なうために、接続形態に応じたプロトコル処理を行なう。例えば、ＬＡＮ接続の場合には、ＴＣＰ／ＩＰによる通信処理を行なう。また、通信処理部１２０は、画像情報の入力元の１つであるＰＣ２０から画像情報である印刷データを受信する。
【００２７】
画像読取部１３０は、画像情報の入力元の１つであり、原稿台、受光素子、光源、レンズ、走査機構等を備え、原稿台に置かれた原稿の画像データを読み取って電気信号に変換し、画像情報として制御部１１０に出力する処理を行う。画像読取部１３０は、印刷装置１０内に設置してもよいし、印刷装置１０の外部に設置してもよい。
【００２８】
印刷実行部３１０は、画像形成媒体を用いて印刷用紙に画像形成を行なう機構であり、本実施形態では、印刷用紙を覆う幅を有する図示しない印字ヘッドからインクをライン単位で吐出して印刷を実行するインクジェット方式の機構を採用している。ただし、画像形成媒体として、シリアル型のインクジェット方式の機構を採用したり、トナー等を用いるレーザ方式の印字機構を採用したりしてもよい。
【００２９】
給紙部３２０は、印刷実行部３１０に対して印刷用紙を給紙する。また、給紙部３２０は、給紙可能枚数の異なる複数の給紙機構を備えている。
【００３０】
排紙部３３０は、排出された印刷済の印刷用紙を積載する。また、排紙部３３０は、積載可能枚数の異なる複数の排紙台を備えている。
【００３１】
後処理部３５０は、排出された印刷済の印刷用紙に、製本印刷や小冊子印刷などの処理を行う。なお、本実施形態において、製本印刷は、冊子状の成果物を得るための印刷手法である。例えば、小冊子印刷、くるみ製本印刷などがある。
【００３２】
制御部１１０は、ＣＰＵ、メモリ、画像処理装置等を備えて構成され、これらの装置が処理を行なうことで、操作パネル制御部１１１、給紙制御部１１３、排紙制御部１１４、画像処理部１１６、後処理制御部１１８が形成される。
【００３３】
操作パネル制御部１１１は、操作パネル部１５０に表示させる画面や操作パネル部１５０を介して入力されるユーザの操作を処理する。給紙制御部１１３は、印刷条件に応じて、印刷に用いる印刷用紙を給紙する給紙機構を設定し、所定のタイミングで印刷用紙を給紙機構から印刷実行部３１０に取り込む制御を行なう。排紙制御部１１４は、印刷条件に応じて印刷済の印刷用紙を排紙する排紙台を設定する。後処理制御部１１８は、印刷条件に応じて印刷済の印刷用紙の後処理を設定する。
【００３４】
画像処理部１１６は、ＲＧＢ形式の印刷データをＣＭＹＫ形式に変換し、さらに、印刷実行部３１０が解釈可能な画像データに変換する処理等を行なう。画像データは、例えば、ドット単位のインクドロップ数を示すデータである。
【００３５】
次に、図３を参照して、本実施形態において、ＰＣのプリンタドライバ上で印刷設定を行う場合の印刷条件設定画面の一例を説明する。
【００３６】
図３は、ユーザが印刷の依頼をすることによってプリンタドライバが起動された場合に、端末画面に表示されるプリンタドライバ設定画面３０の一例である。本実施形態において、この画面中の「メモ」タブ３１を押すと、図３に示す画面が表示され、元の文書に対して、メモページを設定することができる。
【００３７】
メモ機能（全体）３３について、このプリンタドライバ設定画面３０においては、元の文書に対する付随する文書としてのメモページを、元の文書全体に対して、挿入する設定をすることができる。ユーザは、メモ機能３３を挿入するかどうかについて、ＯＮまたはＯＦＦを設定する。メモ機能３３のＯＮのラジオボタンを押すと、メモ情報３５が表示される。
【００３８】
なお、本実施形態において、メモ機能３３は、「メモ機能（全体）」と表示している。すなわち、メモ機能３３を文書全体として使用するか否かを、最初に設定することによって、ユーザの使い勝手を向上させることができる。
【００３９】
次に、メモ情報３５について、本実施形態においては、元の文書を３頁のジョブを例にして説明する。ユーザは、元の文書のそれぞれのページ番号に対して、メモ機能をＯＮまたはＯＦＦにするかを設定することができる。これにより、メモページが不要なページにメモを挿入をしなくてもよく、効率的にメモを挿入可否を設定することができる。
【００４０】
メモ情報３５について、本実施形態において、ユーザは、「ページ番号」１ページでは「メモ機能」をＯＮし、メモ用紙の枚数である「メモ枚数」を１枚と設定する。また、ユーザは、メモ用紙の「テンプレート」として、「無地」を選択する。そして、ユーザは、「ページ番号」２ページでは「メモ機能」をＯＦＦとする。また、ユーザは、「ページ番号」３ページでは「メモ機能」をＯＮし、メモ用紙の枚数である「メモ枚数」を２枚と設定する。そして、ユーザは、メモ用紙の「テンプレート」として「方眼メモ」を選択する。なお、ユーザは、画面上の「追加」「削除」ボタンを選択することにより、すでに行った印刷条件の設定を修正できる。
【００４１】
例えば、「ページ番号」３に対して、「方眼メモ」２枚、に追加して「無地」を１枚追加する場合がある。本実施形態において、ユーザは、「ページ番号」を選択した場合、「追加」を押し、「方眼メモ」に加えて「無地」を選択することができる。
【００４２】
次に、ページ数印字３７について、ユーザは、メモページを含めてページ数を付加するか否かをＯＮまたはＯＦＦの設定により、選択することができる。また、ユーザは、「メモページを含める」か否かの設定３８において、「メモページを含める」設定では、印刷を行うページ全体に対してページ数の設定を行うことができる。また、ユーザは、「メモページを含めない」設定では、メモページにはページ数の設定を行わず、元の文書のみにページ数を設定することができる。
【００４３】
ユーザは、一連の設定を行った場合、このプリンタドライバ設定画面３０について、設定がＯＫの場合には、ＯＫボタンを押すことにより、入力は終了する。そして、ユーザは、基本タブから、印刷部数などを設定して、印刷を実行する。
【００４４】
次に、図４を参照して、本実施形態における元の文書の状態、及び元の文書にメモページが挿入された状態を説明する。図３で示すように、ユーザは、設定した情報により、印刷を実行する。すると、図４（ａ）で示す元の文書が、図４（ｂ）で示す付随文書であるメモページが挿入された文書に設定され、印刷データとして生成される。このため、ユーザは、カスタマイズされたメモページ付きの印刷物を作成することができる。したがって、図３（ａ）及び（ｂ）に示すように、元の文書を等倍率で印刷するため、情報が少なくならず、また、メモ領域も大きく確保することができる。
【００４５】
次に、図５を参照して、メモページのカスタマイズされた形態について説明する。プリンタドライバ部２１０には、図５に示すような無地、横書きメモ、縦書きメモ、方眼メモが図示しないメモリ部にそれぞれ格納されている。これらのメモについて、ユーザは、プリンタドライバの画面上で設定することができる。
【００４６】
なお、本実施形態において、４種類のメモページについて説明したが、これに限られず、ユーザが任意にカスタマイズすることも可能である。例えば、罫線や横線及び方眼用紙が挿入される場合に、その線の幅、位置、又は大きさなどを任意に設定することができる。
【００４７】
次に、図６を参照して、元の印刷データに対して製本印刷が選択された場合について説明する。ユーザは、印刷設定画面３０における「仕上げ」タブ３９内において、製本印刷や小冊子印刷を設定することができる。本実施形態において、製本印刷や小冊子印刷が選択された場合には、見開きでの印刷で、左または右のいずれかのページにメモページ設定されるように印刷することができる。これにより、聴講者側にあっては、見開きの一方が縮小されていない元の文書のページ、他方がメモページとして設定されることにより、ユーザの使い勝手を大きく向上させることができる。
【００４８】
次に、図７を参照して、ページ数の設定方法について説明する。図３で示す印刷設定画面３０上でメモページに対して、ページ数印字３７を設定することにより、メモページを含むまたはメモページを含まない印刷をした例を示す。これにより、ユーザは、ページ数の設定可否を任意に設定することができる。
【００４９】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。
【符号の説明】
【００５０】
１０  印刷装置
２０  パーソナルコンピュータ（ＰＣ）  
２１０  プリンタドライバ部
２１１  印刷条件設定部
２１２  印刷データ生成部
１１０  制御部
１２０  通信処理部
１３０  画像読取部
１５０  操作パネル部
３１０  印刷実行部
３２０  給紙部
３３０  排紙部
３５０  後処理部
１１１  操作パネル制御部
１１３  給紙制御部
１１４  排紙制御部
１１６  画像処理部
１１８  後処理制御部
３０  プリンタドライバ設定画面
３１  「メモ」タブ
３３  メモ機能（全体）
３５  メモ情報
３７  ページ数印字
３８  「メモページを含める」設定
３９  「仕上げ」タブ
【図１】
2012208853.tif 000003
【図２】
2012208853.tif 000004
【図３】
2012208853.tif 000005
【図４】
2012208853.tif 000006
【図５】
2012208853.tif 000007
【図６】
2012208853.tif 000008
【図７】
2012208853.tif 000009
【図８】
2012208853.tif 000010